【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
少なくとも１つの選択された品質メトリクスによって、少なくとも１つのメディアストリームのストリーミングの品質を報告するステップを有する方法であって、
前記少なくとも１つの選択された品質メトリクスは、前記少なくとも１つのメディアストリームの少なくとも１つのフレームが良好なフレームかどうかの判定に少なくとも部分的に依存する体験品質メトリクスとし、
前記ストリーミングの品質を報告するステップは、該判定がどのように行われるのかを規定するさらに選択された品質メトリクスクラスに依存し、
前記選択された品質メトリクスは少なくとも２つの品質メトリクスクラスからなる所定のセットから選択され、
前記少なくとも２つの品質メトリクスクラスからなる所定のセット内の各品質メトリクスクラスは、前記少なくとも１つのメディアストリームのフレームが良好なフレームかどうかを判定する別個の規則セットを規定する方法であり、
前記少なくとも１つのメディアストリームがストリーミングされるクライアントと前記ストリーミングの品質が報告されるサーバとの間で、前記品質メトリクスクラスを協議するステップを、さらに含む方法。
【請求項２】
少なくとも１つのメディアストリームのストリーミングに関する品質の報告を受信するステップを有する方法であって、
前記品質は、少なくとも１つの選択された品質メトリクスによって報告され、
前記少なくとも１つの選択された品質メトリクスは、前記少なくとも１つのメディアストリームの少なくとも１つのフレームが良好なフレームかどうかの判定に少なくとも部分的に依存する体験品質メトリクスとし、
前記ストリーミングに関する品質を報告するステップは、該判定がどのように行われるのかを規定するさらに選択された品質メトリクスクラスに依存し、
前記選択された品質メトリクスは少なくとも２つの品質メトリクスクラスからなる所定のセットから選択され、
前記少なくとも２つの品質メトリクスクラスからなる所定のセット内の各品質メトリクスクラスは、前記少なくとも１つのメディアストリームのフレームが良好なフレームかどうかを判定する別個の規則セットを規定する方法であり、
前記少なくとも１つのメディアストリームがストリーミングされるクライアントと前記ストリーミングの品質が報告されるサーバとの間で、前記品質メトリクスクラスを協議するステップを、さらに含む方法。
【請求項３】
前記ストリーミングは、プロトコルであって、該プロトコルの少なくとも１つのプロトコルデータユニット内で品質メトリクスクラス・フィールドを規定するプロトコルによって制御され、該品質メトリクスクラス・フィールドは、前記少なくとも２つの品質メトリクスクラスからなる所定のセット内の個々の品質メトリクスクラスを特定することができる請求項１または２に記載の方法。
【請求項４】
前記品質メトリクスクラス・フィールドが、前記少なくとも１つのプロトコルデータユニットのヘッダセクションに配置される請求項３に記載の方法。
【請求項５】
前記品質メトリクスクラスのうちの少なくとも１つによって規定される前記セットの規則が、
前記少なくとも１つのメディアストリームを完全に受信したＩ−フレーム、または
エラーまたは損失の最後のフレームの後、前記少なくとも１つのメディアストリームのＮ番目（整数Ｎは、信号による送信値、または、ビデオフレームのときは∞の値もしくはオーディオフレームのときは１の値のデフォルト値のいずれかの値）に完全受信したフレーム、のうちの時間的に早い方のフレームを、良好なフレームと判定するステップと、
良好なフレームの後に続く前記少なくとも１つのメディアストリームのフレームが完全に受信されたとき、該フレームを良好なフレームと判定し、そうでないとき、次の良好なフレームまで、該フレームおよび後続するすべてのフレームを破損フレームと判定するステップと、
を含む請求項１または２に記載の方法。
【請求項６】
前記品質メトリクスクラスのうちの少なくとも１つによって規定される前記規則セットが、エラートラッキングアルゴリズムに従って、前記少なくとも１つのメディアストリームの符号化されたフレームを良好なフレームと判定するステップを含む請求項１または２に記載の方法。
【請求項７】
前記品質メトリクスクラスのうちの少なくとも１つによって規定される前記規則セットが、
前記少なくとも１つのメディアストリームのイントラ符号化されたフレームをクライアント側で完全に受信したとき、該フレームを良好なフレームと判定し、そうでないとき、該フレームを破損フレームと判定するステップ、または
前記少なくとも１つのメディアストリームの予測符号化フレームを前記クライアント側で完全に受信し、かつ、上記予測符号化フレームの予測参照サンプルのすべてが良好なフレームに属するとき、該フレームを良好なフレームと判定し、そうでないとき、該フレームを破損フレームと判定するステップ
を含む請求項６に記載の方法。
【請求項８】
前記品質メトリクスクラスのうちの少なくとも１つによって規定される前記セットの規則が、
復号化品質評価アルゴリズムに従って、前記少なくとも１つのメディアストリームの符号化されたフレームを良好なフレームと判定するステップを含む請求項１または２に記載の方法。
【請求項９】
前記品質メトリクスクラスのうちの少なくとも１つによって規定される前記規則セットが、
前記少なくとも１つのメディアストリームのイントラ符号化されたフレームをクライアント側で完全に受信したとき、前記イントラ符号化されたフレームを良好なフレームと判定し、そうでないとき、破損フレームと判定するステップ、または
前記少なくとも１つのメディアストリームの予測符号化フレームを前記クライアント側で完全に受信し、かつ、前記予測符号化フレームの予測参照サンプルのすべてが良好なフレームに属するとき、あるいは、
前記フレームの少なくとも一部が完全に受信され、前記フレームの該完全に受信された部分のすべての予測参照サンプルが良好なフレームに属し、かつ、前記フレームのすべての隠蔽された部分が良好とみなされるとき、前記予測符号化フレームを良好なフレームと判定するステップを含む方法であって、
前記フレームの復号化バージョンの損失部分やエラー部分にエラー隠蔽アルゴリズムを適用することによって、前記フレームの隠蔽された部分を取得し、前記フレームの前記隠蔽された部分と前記フレームの完全受信された周辺部分で復号された部分との間の平均境界誤差が、閾値未満であるとき、前記隠蔽された部分を良好とみなす請求項８に記載の方法。
【請求項１０】
前記ストリーミングは、第３世代移動通信システムのパケット交換型ストリーミングサービスＰＳＳと関連して、セッション記述プロトコルＳＤＰと組み合わされるリアルタイム・ストリーミングプロトコルＲＴＳＰによって制御される請求項１または２に記載の方法。
【請求項１１】
前記セッション記述プロトコルＳＤＰは、少なくとも１つの品質メトリクスクラス・フィールドを規定する少なくとも１つのＳＤＰ属性を含み、該品質メトリクスクラス・フィールドは、前記少なくとも２つの品質メトリクスクラスからなる所定のセットの個々の品質メトリクスクラスを特定できる請求項１０に記載の方法。
【請求項１２】
少なくとも部分的に前記ＳＤＰ属性に基づいて、前記少なくとも１つのメディアがストリーミングされるクライアントと前記ストリーミングの品質が報告されるサーバとの間で品質メトリクスクラスを協議するために、前記ＲＴＳＰが使用される請求項１１に記載の方法。
【請求項１３】
前記ＲＴＳＰが、前記協議のためにＤＥＳＣＲＩＢＥ法を使用する請求項１２に記載の方法。
【請求項１４】
請求項１〜１３のいずれか一項の方法をプロセッサに実行させるように動作できる命令を有するコンピュータプログラム。
【請求項１５】
請求項１〜１３のいずれか一項の方法をプロセッサに実行させるように動作できる命令を有するコンピュータプログラムを記憶させたコンピュータ可読記憶媒体。
【請求項１６】
少なくとも１つのクライアントと、少なくとも１つのサーバと、を具備するシステムであって、
少なくとも１つのメディアストリームを、前記少なくとも１つのクライアントに対してストリーミングし、
前記ストリーミングの品質を、少なくとも１つの選択された品質メトリクスによって前記少なくとも１つのサーバに報告し、
前記少なくとも１つの選択された品質メトリクスは、前記少なくとも１つのメディアストリームの少なくとも１つのフレームが良好なフレームかどうかの判定に少なくとも部分的に依存する体験品質メトリクスとし、
前記ストリーミングの品質は、該判定がどのように行われるのかを規定するさらに選択された品質メトリクスクラスに依存して報告され、
前記選択された品質メトリクスは少なくとも２つの品質メトリクスクラスからなる所定のセットから選択され、
前記少なくとも２つの品質メトリクスクラスからなる所定のセット内の各品質メトリクスクラスは、前記少なくとも１つのメディアストリームのフレームが良好なフレームかどうかを判定する別個の規則セットを規定する
システムであって、
前記少なくとも１つのメディアストリームがストリーミングされるクライアントと前記ストリーミングの品質が報告されるサーバとの間で、前記品質メトリクスクラスを協議する、システム。
【請求項１７】
少なくとも１つの選択された品質メトリクスによって、少なくとも１つのメディアストリームのストリーミングの品質を報告する手段を具備する装置であって、
前記少なくとも１つの選択された品質メトリクスは、前記少なくとも１つのメディアストリームの少なくとも１つのフレームが良好なフレームかどうかの判定に少なくとも部分的に依存する体験品質メトリクスとし、
前記ストリーミングの品質は、該判定がどのように行われるのかを規定するさらに選択された品質メトリクスクラスに依存して報告され、
前記選択された品質メトリクスは少なくとも２つの品質メトリクスクラスからなる所定のセットから選択され、
前記少なくとも２つの品質メトリクスクラスからなる所定のセット内の各品質メトリクスクラスは、前記少なくとも１つのメディアストリームのフレームが良好なフレームかどうかを判定する別個の規則セットを規定する
装置であって、
前記装置と前記ストリーミングの品質が報告されるサーバとの間で、前記品質メトリクスクラスを協議する、装置。
【請求項１８】
少なくとも１つのメディアストリームのストリーミングに関する品質の報告を受信する手段を具備する装置であって、
前記品質は、少なくとも１つの選択された品質メトリクスによって報告され、
前記少なくとも１つの選択された品質メトリクスは、前記少なくとも１つのメディアストリームの少なくとも１つのフレームが良好なフレームかどうかの判定に少なくとも部分的に依存する体験品質メトリクスとし、
前記ストリーミングの品質は、該判定がどのように行われるのかを規定するさらに選択された品質メトリクスクラスに依存して報告され、
前記選択された品質メトリクスは少なくとも２つの品質メトリクスクラスからなる所定のセットから選択され、
前記少なくとも２つの品質メトリクスクラスからなる所定のセット内の各品質メトリクスクラスは、前記少なくとも１つのメディアストリームのフレームが良好なフレームかどうかを判定する別個の規則セットを規定する
装置であって、
前記少なくとも１つのメディアストリームがストリーミングされるクライアントと前記装置との間で、前記品質メトリクスクラスを協議する、装置。
【請求項１９】
前記少なくとも１つのメディアストリームがストリーミングされるクライアントである請求項１７に記載の装置。
【請求項２０】
前記ストリーミングは、プロトコルであって、該プロトコルの少なくとも１つのプロトコルデータユニット内で品質メトリクスクラス・フィールドを規定するプロトコルによって規定され、該品質メトリクスクラス・フィールドは、前記少なくとも２つの品質メトリクスクラスからなる所定のセット内の個々の品質メトリクスクラスを特定することができる請求項１７または１８に記載の装置。
【請求項２１】
前記品質メトリクスクラス・フィールドが、前記少なくとも１つのプロトコルデータユニットのヘッダセクションに配置される請求項２０に記載の装置。
【請求項２２】
前記品質メトリクスクラスのうちの少なくとも１つによって規定される前記セットの規則が、
前記少なくとも１つのメディアストリームを完全に受信したＩ−フレーム、または
エラーまたは損失の最後のフレームの後、前記少なくとも１つのメディアストリームのＮ番目（整数Ｎは、信号による送信値、または、ビデオフレームのときは∞の値もしくはオーディオフレームのときは１の値のデフォルト値のいずれかの値）に完全受信したフレーム、のうちの時間的に早い方のフレームを、良好なフレームと判定するステップと、
良好なフレームの後に続く前記少なくとも１つのメディアストリームのフレームが完全に受信されたとき、該フレームを良好なフレームと判定し、そうでないとき、次の良好なフレームまで、該フレームおよび後続するすべてのフレームを破損フレームと判定するステップと、
を含む請求項１７または１８に記載の装置。
【請求項２３】
前記品質メトリクスクラスのうちの少なくとも１つによって規定される前記規則セットが、エラートラッキングアルゴリズムに従って、前記少なくとも１つのメディアストリームの符号化されたフレームを良好なフレームと判定するステップを含む請求項１７または１８に記載の装置。
【請求項２４】
前記品質メトリクスクラスのうちの少なくとも１つによって規定される前記規則セットが、
前記少なくとも１つのメディアストリームのイントラ符号化されたフレームをクライアント側で完全に受信したとき、該フレームを良好なフレームと判定し、そうでないとき、該フレームを破損フレームと判定するステップ、または
前記少なくとも１つのメディアストリームの予測符号化フレームを前記クライアント側で完全に受信し、かつ、上記予測符号化フレームの予測参照サンプルのすべてが良好なフレームに属するとき、該フレームを良好なフレームと判定し、そうでないとき、該フレームを破損フレームと判定するステップ
を含む請求項２３に記載の装置。
【請求項２５】
前記品質メトリクスクラスのうちの少なくとも１つによって規定される前記規則セットが、
復号化品質評価アルゴリズムに従って、前記少なくとも１つのメディアストリームの符号化されたフレームを良好なフレームと判定するステップを含む請求項１７または１８に記載の装置。
【請求項２６】
前記品質メトリクスクラスのうちの少なくとも１つによって規定される前記セットの規則が、
前記少なくとも１つのメディアストリームのイントラ符号化されたフレームをクライアント側で完全に受信したとき、前記イントラ符号化されたフレームを良好なフレームと判定し、そうでないとき、破損フレームと判定するステップ、または
前記少なくとも１つのメディアストリームの予測符号化フレームを前記クライアント側で完全に受信し、かつ、前記予測符号化フレームの予測参照サンプルのすべてが良好なフレームに属するとき、あるいは、
前記フレームの少なくとも一部が完全に受信され、前記フレームの該完全に受信された部分のすべての予測参照サンプルが良好なフレームに属し、かつ、前記フレームのすべての隠蔽された部分が良好とみなされるとき、前記予測符号化フレームを良好なフレームと判定するステップを含み、
前記フレームの復号化バージョンの損失部分やエラー部分にエラー隠蔽アルゴリズムを適用することによって、前記フレームの隠蔽された部分を取得し、前記フレームの前記隠蔽された部分と前記フレームの完全受信された周辺部分で復号された部分との間の平均境界誤差が、閾値未満であるとき、前記隠蔽された部分を良好とみなす請求項２５に記載の装置。
【請求項２７】
前記ストリーミングは、第３世代移動通信システムのパケット交換型ストリーミングサービスＰＳＳと関連して、セッション記述プロトコルＳＤＰと組み合わされるリアルタイム・ストリーミングプロトコルＲＴＳＰによって制御される請求項１７または１８に記載の装置。
【請求項２８】
前記セッション記述プロトコルＳＤＰは、少なくとも１つの品質メトリクスクラス・フィールドを規定する少なくとも１つのＳＤＰ属性を含み、該品質メトリクスクラス・フィールドは、前記少なくとも２つの品質メトリクスクラスからなる所定のセットの個々の品質メトリクスクラスを特定できる請求項２７に記載の装置。
【請求項２９】
少なくとも部分的に前記ＳＤＰ属性に基づいて品質メトリクスクラスを協議するために、前記ＲＴＳＰが使用される請求項２８に記載の装置。
【請求項３０】
前記ＲＴＳＰが、前記協議のためにＤＥＳＣＲＩＢＥ法を使用する請求項２９に記載の装置。
【請求項３１】
前記少なくとも１つのメディアストリームは、連続メディアストリームとする請求項１７または１８に記載の装置。
【請求項３２】
前記少なくとも１つのメディアストリームは、クライアントへストリーミングされ、前記ストリーミングは前記クライアントとサーバとの間で運用されるプロトコルによって制御され、前記ストリーミングの品質は前記サーバへ報告される請求項１７または１８に記載の装置。
【請求項３３】
前記少なくとも１つのメディアストリームは、連続メディアストリームとする請求項１または２に記載の方法。
【請求項３４】
前記少なくとも１つのメディアストリームは、クライアントへストリーミングされ、前記ストリーミングは前記クライアントとサーバとの間で運用されるプロトコルによって制御され、前記ストリーミングの品質は前記サーバへ報告される請求項１または２に記載の方法。